(57)【要約】【課題】１ピストンのロータリー圧縮機のような、電動機の回転子が１回転する間の負荷トルクの変動が大きい電動機の低速領域では、モータの振動と騒音が増加し脱調耐量の悪化が顕著に発生するという課題を有していた。【解決手段】目標回転数補正手段１１を設け、トルク制御手段２１で決定したトルク指令量および外気温度検出手段２２により検出した値が予め設定された値より大きい場合、目標回転数を補正することにより、低速領域を回避し、過負荷時のモータの振動と騒音の増加を抑制し、モータの脱調を防止することができ、連続して安定な運転が可能な電動機駆動装置を実現するものである。【選択図】図１
2010239762.tif 000002
【特許請求の範囲】
【請求項１】
三相電動機と、インバータと、前記三相電動機が発生するトルクと前記三相電動機が駆動する負荷要素が発生する負荷トルクとを一致させるように前記インバータを制御するトルク制御手段から構成される電動機駆動装置において、前記三相電動機を目標の回転数で駆動する出力電圧を出力するためのＰＷＭ信号を生成するＰＷＭ信号生成手段と、前記トルク制御手段で決定したトルク指令量および外気温度が一定値を超えると目標回転数を補正する目標回転数補正手段を設けたことを特徴とする電動機駆動装置。
【発明の詳細な説明】
【技術分野】
【０００１】
本発明は、ブラシレスＤＣモータなどの電動機を任意の回転数で駆動する電動機駆動装置に関するものである。
【背景技術】
【０００２】
近年、空気調和機における圧縮機などの電動機を駆動する装置においては、地球環境保護の観点から消費電力を低減する必要性が大きくなっている。その中で、省電力の技術の一つとして、ブラシレスＤＣモータのような効率の高い電動機を任意の周波数で駆動するインバータなどが広く一般に使用されている。さらに、駆動する技術としては、矩形波状の電流により駆動を行う矩形波駆動に対して、より効率が高く、騒音も低くすることが可能な正弦波駆動技術が主流となりつつある。また、使用する圧縮機は、効率が高く、安価な１ピストンのロータリー圧縮機を使用するのが主流となっている。
【０００３】
１ピストンのロータリー圧縮機のような、電動機の回転子の１回転中に発生する負荷トルク変動が大きい電動機を駆動する際、負荷トルク変動を抑制するために、トルク制御手段（例えば、特許文献１）が発明されている。
【０００４】
図４に特許文献１記載の位置センサレス正弦波駆動を実現するためのシステム構成を示す。１は直流電源、２はインバータ、３はブラシレスモータ、４は固定子、５は回転子、６は制御部である。
【０００５】
ブラシレスモータ３は、中性点を中心にＹ結線された３つの相巻線４ｕ、４ｖ、４ｗが取り付けられる固定子４、および磁石が装着されている回転子５を備える。Ｕ相巻線４ｕの非結線端にＵ相端子８ｕ、Ｖ相巻線４ｖの非結線端にＶ相端子８ｖ、Ｗ相巻線４ｗの非結線端にＷ相端子８ｗが接続される。
【０００６】
インバータ２は、一対のスイッチング素子が電流の上流側と下流側の関係に直列接続された直列回路を、Ｕ相用、Ｖ相用、Ｗ相用として３つ有する。これら直列回路に、直流電源１から出力されるＤＣ電圧が印加される。Ｕ相用の直列回路は、上流側スイッチング素子１２ｕ、および下流側スイッチング素子１３ｕより成る。Ｖ相用の直列回路は、上流側スイッチング素子１２ｖ、および下流側スイッチング素子１３ｖより成る。Ｗ相用の直列回路は、上流側スイッチング素子１２ｗ、および下流側スイッチング素子１２ｗより成る。なお、フリーホイールダイオード１４ｕ、１４ｖ、１４ｗ、１５ｕ、１５ｖ、１５ｗが、各スイッチング素子と並列に接続される。
【０００７】
インバータ２におけるスイッチング素子１２ｕ、１３ｕの相互接続点、スイッチング素子１２ｖ、１３ｖの相互接続点、およびスイッチング素子１２ｗ、１３ｗの相互接続点に、ブラシレスモータ３の端子８ｕ、８ｖ、８ｗがそれぞれ接続される。
【０００８】
インバータ２に印加されている直流電圧は、上述したインバータ２内のスイッチング素子などの回路によって三相の交流電圧に変換され、それによりブラシレスモータ３が駆動される。
【０００９】
外部より与えられる目標速度を実現するべく、現在の速度との誤差から演算された出力電圧を出力するために、ＰＷＭ信号生成手段９によりインバータ２のスイッチング素子を駆動するＰＷＭ信号が生成され、スイッチング素子を電気的に駆動するためのドライブ信号にベースドライバ１０により変換され、各スイッチング素子１２ｕ、１２ｖ、１２ｗ、
１３ｕ、１３ｖ、１３ｗが動作する。
【００１０】
制御部６は、インバータ母線に配した電流検出手段７により検出されたブラシレスモータ３の相電流と、ＰＷＭ信号生成手段９で演算される出力電圧とインバータ印加電圧検出手段１６が検出した直流電源１から出力されるＤＣ電圧より、ブラシレスモータ３の誘起電圧が誘起電圧推定手段１７により推定される。推定された誘起電圧は、回転子位置速度検出手段１８で、ブラシレスモータ３の各相の相電圧方程式に基づいて決定される誘起電圧と比較し、その比較結果によってブラシレスモータ３の回転子磁極位置および速度を推定する。
【００１１】
２１はブラシレスモータ３の負荷トルクを制御するトルク制御手段であり、トルク制御手段２１は、回転子位置速度検出手段１８により検出される速度を用いて加速度を演算する回転子加速度検出手段１９と、検出された加速度の変動を０にするように制御する加速度制御手段２０で構成されている。トルク制御手段２１は回転子加速度検出手段１９で加速度を検出し、加速度制御手段２０で現在の加速度と目標加速度からトルク指令量を決定し、ＰＷＭ信号生成手段９に出力する。
【００１２】
回転子位置速度検出手段１８は、電流検出手段７で検出した電流と、インバータ２が出力した直流電圧と、ブラシレスモータ３のモータ定数を用いて、モータのモデル式からモータの推定電流値を演算し、電流検出手段７で検出した電流との誤差を用いることで、回転子の位置を推定する。ここで、電流検出手段７で検出された電流値と、モータのモデル式から推定された電流値を、回転磁界の軸δ方向の電流ｉδと磁束の向きの軸γ方向の電流ｉγに変換し、直流値として取り扱うことにより、トルク制御を容易に実現している。
【００１３】
ＰＷＭ信号生成手段９は外部より与えられる目標速度を実現するべく、現在の速度との誤差から演算された出力電圧に目標加速度を実現するトルク指令量を加減算し、インバータ２のスイッチング素子を駆動するＰＷＭ信号が生成され、さらに、スイッチング素子を電気的に駆動するためのドライブ信号にベースドライバ１０により変換され、各スイッチング素子１２ｕ、１２ｖ、１２ｗ、１３ｕ、１３ｖ、１３ｗが動作する。
【００１４】
以上のような回路構成にて、ブラシレスモータ３の駆動制御を行っている。
【特許文献１】特開２００１−３７２８１号公報
【発明の開示】
【発明が解決しようとする課題】
【００１５】
しかしながら、１ピストンのロータリー圧縮機のような、電動機の回転子が１回転する間の負荷トルクの変動が大きい電動機は、過負荷状態では、トルク指令量が増加し、更に量を減少させていた。このために、特に低速領域では、モータの振動と騒音が増加し脱調耐量の悪化が顕著に発生するという課題を有していた。
【００１６】
本発明は上記の課題を解決するもので、低速領域での過負荷時において振動と騒音の増加を抑制し、モータの脱調を防止することができ、かつ過電流保護装置が動作するのを防ぎ連続して安定な運転が可能な電動機駆動装置を提供することを目的とする。
【課題を解決するための手段】
【００１７】
前記従来の課題を解決するために、本発明の電動機駆動装置は、目標回転数補正手段を設け、トルク制御手段で決定したトルク指令量および外気温度により検出した値が予め設定された値を超えた場合、目標回転数を変更し、低速領域を回避することにより、過負荷時にモータの脱調を防止することが可能となり、モータの振動や騒音も抑制することができる。
【発明の効果】
【００１８】
本発明の電動機駆動装置は、トルク変動が大きい電動機の低速領域を回避することにより、過負荷時のモータの振動と騒音の増加を抑制し、脱調を防止することができ、連続して安定な運転が可能な電動機駆動装置を実現することができる。
【発明を実施するための最良の形態】
【００１９】
第１の発明は、トルク制御手段で決定したトルク指令量および外気温度が予め設定された値を超えた場合、目標回転数を補正する目標回転数補正手段を設けることにより、低速領域を回避し、過負荷時において振動と騒音の増加を抑制し、モータが脱調するのを防止することができ、連続して安定な運転が可能な電動機駆動装置を実現するものである。
【００２０】
以下、本発明の実施の形態について、図面を参照しながら説明する。なお、この実施の形態によって本発明が限定されるものではない。
【００２１】
（実施の形態１）
図１は本発明の第１の実施の形態におけるブロック図である。
【００２２】
１は直流電源、２はインバータ、３はブラシレスモータ、４は固定子、５は回転子、６は制御部である。
【００２３】
ブラシレスモータ３は、中性点を中心にＹ結線された３つの相巻線４ｕ、４ｖ、４ｗが取り付けられる固定子４、および磁石が装着されている回転子５を備える。Ｕ相巻線４ｕの非結線端にＵ相端子８ｕ、Ｖ相巻線４ｖの非結線端にＶ相端子８ｖ、Ｗ相巻線４ｗの非結線端にＷ相端子８ｗが接続される。
【００２４】
インバータ２は、一対のスイッチング素子が電流の上流側と下流側の関係に直列接続された直列回路を、Ｕ相用、Ｖ相用、Ｗ相用として３つ有する。これら直列回路に、直流電源１から出力されるＤＣ電圧が印加される。Ｕ相用の直列回路は、上流側スイッチング素子１２ｕ、および下流側スイッチング素子１３ｕより成る。Ｖ相用の直列回路は、上流側スイッチング素子１２ｖ、および下流側スイッチング素子１３ｖより成る。Ｗ相用の直列回路は、上流側スイッチング素子１２ｗ、および下流側スイッチング素子１２ｗより成る。なお、フリーホイールダイオード１４ｕ、１４ｖ、１４ｗ、１５ｕ、１５ｖ、１５ｗが、各スイッチング素子と並列に接続される。
【００２５】
インバータ２におけるスイッチング素子１２ｕ、１３ｕの相互接続点、スイッチング素子１２ｖ、１３ｖの相互接続点、およびスイッチング素子１２ｗ、１３ｗの相互接続点に、ブラシレスモータ３の端子８ｕ、８ｖ、８ｗがそれぞれ接続される。
【００２６】
インバータ２に印加されている直流電圧は、上述したインバータ２内のスイッチング素子などの回路によって三相の交流電圧に変換され、それによりブラシレスモータ３が駆動される。
【００２７】
トルク制御手段２１は、現在の速度を回転子加速度検出手段１９により、ある一定周期毎に検出し、その一定周期における変化量を加速度として、加速度制御手段２０により、目標加速度と比較し、目標加速度を実現するトルク指令量を決定する。
【００２８】
ＰＷＭ信号生成手段９は外部より与えられる目標速度を実現するべく、現在の速度との誤差から演算された出力電圧に目標加速度を実現するトルク指令量を増加減し、インバータ２のスイッチング素子を駆動するＰＷＭ信号が生成され、さらに、スイッチング素子を
電気的に駆動するためのドライブ信号にベースドライバ１０により変換され、各スイッチング素子１２ｕ、１２ｖ、１２ｗ、１３ｕ、１３ｖ、１３ｗが動作する。
【００２９】
制御部６は、インバータ母線に配した電流検出手段７により検出されたブラシレスモータ３の相電流と、ＰＷＭ信号生成手段９で演算される出力電圧とインバータ印加電圧検出手段１６が検出した直流電源１から出力されるＤＣ電圧より、ブラシレスモータ３の誘起電圧が誘起電圧推定手段１７により推定される。さらに推定された誘起電圧から、回転子位置速度検出手段１８でブラシレスモータ３の回転子磁極位置および速度を推定する。
【００３０】
目標回転数補正手段１１は、低速領域時にトルク制御手段２１で決定したトルク指令量が予め設定された値を超えた場合および外気温度検出手段２２より検出した値が予め設定された値を超えた場合はすでに設定された目標回転数に、補正回転数を加算することにより、低速領域を回避し、振動と騒音が増加するのを抑制し、モータが停止に至ることを防止することができ、連続して安定な運転が可能な電動機駆動装置を実現するものである。
【産業上の利用可能性】
【００３１】
以上のように、本発明の電動機駆動装置は、トルク変動が大きい電動機の低速領域を回避することにより、過負荷時のモータの振動と騒音の増加を抑制し、モータの脱調を防止して安定した駆動が可能となるので、位置センサレスブラシレスＤＣモータを使用する産業機器、製品の用途に広く使用できる。
【図面の簡単な説明】
【００３２】
【図１】本発明の実施の形態１における電動機駆動装置のブロック図
【図２】従来のトルク制御手段を備えた電動機駆動装置のブロック図
【符号の説明】
【００３３】
１  直流電源
２  インバータ
３  ブラシレスモータ（三相電動機）
６  制御部
７  電流検出手段
９  ＰＷＭ信号生成手段
１０  ベースドライバ
１１  目標回転数補正手段
１６  インバータ印加電圧検出手段
１７  誘起電圧推定手段
１８  回転子位置速度検出手段
１９  回転子加速度検出手段
２０  加速度制御手段
２１  トルク制御手段
２２  外気温度検出手段
【図１】
2010239762.tif 000003
【図２】
2010239762.tif 000004